(57)【要約】【課題】省エネルギーモード時における消費電力をより削減することができる画像処理装置、省電力化方法及び記録媒体を提供する。【解決手段】最も消費電力の高い第１の制御手段と、第１の制御手段に対して相対的に消費電力が低い第２の制御手段と、を有する画像処理装置であって、画像処理装置内に備えられる所定の手段に対してのみ電源供給を行う省エネルギーモードのときに、第１の制御手段に電源供給を行わず、第２の制御手段に電源供給を行い、省エネルギーモードのときに所定の機能の実行指示がなされた場合、第２の制御手段が機能を実行するための制御を行う。【選択図】図１
2009284395.tif 000002
【特許請求の範囲】
【請求項１】
最も消費電力の高い第１の制御手段と、前記第１の制御手段に対して相対的に消費電力が低い第２の制御手段と、を有する画像処理装置であって、
前記画像処理装置内に備えられる所定の手段に対してのみ電源供給を行う省エネルギーモードのときに、前記第１の制御手段に電源供給を行わず、前記第２の制御手段に電源供給を行い、
前記省エネルギーモードのときに所定の機能の実行指示がなされた場合、前記第２の制御手段が前記機能を実行するための制御を行うことを特徴とする画像処理装置。
【請求項２】
前記第２の制御手段は、
前記省エネルギーモードのときにスキャナ動作の実行指示がなされた場合、スキャナ動作を実行するスキャナ手段の電源を投入し、
前記スキャナ手段によって読み込まれた画像のイメージを所定の記憶手段に展開することを特徴とする請求項１記載の画像処理装置。
【請求項３】
前記第２の制御手段は、
前記省エネルギーモードのときにプリンタ動作の実行指示がなされた場合、プリンタ動作を実行するプリンタ手段及び前記第１の制御手段の電源を投入し、
前記第１の制御手段によって所定の記憶領域に展開された画像のイメージは、前記プリンタ手段によって印刷されることを特徴とする請求項１または２記載の画像処理装置。
【請求項４】
前記第２の制御手段は、
所定の操作を受け付ける操作手段内に備えられることを特徴とする請求項１から３のいずれか１項に記載の画像処理装置。
【請求項５】
前記第２の制御手段は、
前記第１の制御手段に電源を投入するか否かの指示を受け付け、前記指示に従って前記第１の制御手段の電源投入を制御することを特徴とする請求項１から４のいずれか１項に画像処理装置。
【請求項６】
前記第２の制御手段は、
前記第１の制御手段及び前記第２の制御手段以外の制御手段に電源を投入するか否かの指示を受け付け、前記指示に従って前記制御手段の電源投入を制御することを特徴とする請求項１から５のいずれか１項に画像処理装置。
【請求項７】
最も消費電力の高い第１の制御手段と、前記第１の制御手段に対して相対的に消費電力が低い第２の制御手段と、を有する装置で行われる省電力化方法であって、
前記装置内に備えられる所定の手段に対してのみ電源供給を行う省エネルギーモードのときに、前記第１の制御手段に電源供給を行わず、前記第２の制御手段に電源供給を行い、
前記省エネルギーモードのときに所定の機能の実行指示がなされた場合、前記第２の制御手段によって前記機能を実行するための制御が行われることを特徴とする省電力化方法。
【請求項８】
前記省エネルギーモードのときにスキャナ動作の実行指示がなされた場合、前記第２の制御手段により、スキャナ動作を実行するスキャナ手段の電源が投入され、前記スキャナ手段によって読み込まれた画像のイメージが所定の記憶手段に展開されることを特徴とする請求項７記載の省電力化方法。
【請求項９】
前記省エネルギーモードのときにプリンタ動作の実行指示がなされた場合、前記第２の制御手段により、プリンタ動作を実行するプリンタ手段及び前記第１の制御手段の電源が投入され、前記第１の制御手段により、画像のイメージが所定の記憶手段に展開され、前記プリンタ手段により、前記画像のイメージが印刷されることを特徴とする請求項７または８記載の省電力化方法。
【請求項１０】
前記第２の制御手段は、所定の操作を受け付ける操作手段内で実現されることを特徴とする請求項７から９のいずれか１項に記載の省電力化方法。
【請求項１１】
前記第２の制御手段により、前記第１の制御手段に電源を投入するか否かの指示が受け付けられた場合、前記指示に従って前記第１の制御手段の電源投入が制御されることを特徴とする請求項７から１０のいずれか１項に省電力化方法。
【請求項１２】
前記第２の制御手段により、前記第１の制御手段及び前記第２の制御手段以外の制御手段に電源を投入するか否かの指示が受け付けられた場合、前記指示に従って前記制御手段の電源投入が制御されることを特徴とする請求項７から１１のいずれか１項に省電力化方法。
【請求項１３】
請求項７から１２のいずれか１項に記載の省電力化方法をコンピュータに実行させるプログラムを記録したことを特徴とする記録媒体。
【発明の詳細な説明】
【技術分野】
【０００１】
本発明は、省電力化機能を有する画像処理装置、省電力化方法及び記録媒体に関する。
【背景技術】
【０００２】
近年、画像処理装置においては、省エネルギー技術が重要視されており、消費電力を削減する方法が開発されている。その一つとして、省エネルギーモードがある。これは、画像処理装置内の複数の機器（手段、ユニット等）への電源供給を必要最小限に抑えるモードである。このような省エネルギーモードを有する画像処理装置の技術例として、省エネルギーモードからの復帰時に、電力消費を抑えるために、必要最小限の機能に関してのみ電源を供給することにより、消費電力の削減を達成する技術がある（例えば、特許文献１参照）。
【特許文献１】特開２００２−２９０６４０号公報
【発明の開示】
【発明が解決しようとする課題】
【０００３】
しかしながら、上記特許文献１の画像処理装置も含め、現状の画像処理装置では、省エネルギーモード時における機器制御（ユニット制御）やＩ／Ｏ制御を、性能が高く、消費電力の大きいメインＣＰＵで行っている。よって、省エネルギーモード時においても、ＣＰＵのリーク電流などで大変大きな消費電力を消費してしまっている。
【０００４】
本発明は、上記事情に鑑みてなされたものであり、省エネルギーモードにおける消費電力をより削減することができる画像処理装置、省電力化方法及び記録媒体を提供することを目的とする。
【課題を解決するための手段】
【０００５】
かかる目的を達成するために、本発明の画像処理装置は、最も消費電力の高い第１の制御手段と、第１の制御手段に対して相対的に消費電力が低い第２の制御手段と、を有する画像処理装置であって、画像処理装置内に備えられる所定の手段に対してのみ電源供給を行う省エネルギーモードのときに、第１の制御手段に電源供給を行わず、第２の制御手段に電源供給を行い、省エネルギーモードのときに所定の機能の実行指示がなされた場合、第２の制御手段が機能を実行するための制御を行うことを特徴とする。
【０００６】
また、本発明の画像処理装置において、第２の制御手段は、省エネルギーモードのときにスキャナ動作の実行指示がなされた場合、スキャナ動作を実行するスキャナ手段の電源を投入し、スキャナ手段によって読み込まれた画像のイメージを所定の記憶手段に展開することを特徴としてもよい。
【０００７】
また、本発明の画像処理装置において、第２の制御手段は、省エネルギーモードのときにプリンタ動作の実行指示がなされた場合、プリンタ動作を実行するプリンタ手段及び第１の制御手段の電源を投入し、第１の制御手段によって所定の記憶領域に展開された画像のイメージは、プリンタ手段によって印刷されることを特徴としてもよい。
【０００８】
また、本発明の画像処理装置において、第２の制御手段は、所定の操作を受け付ける操作手段内に備えられることを特徴としてもよい。
【０００９】
また、本発明の画像処理装置において、第２の制御手段は、第１の制御手段に電源を投入するか否かの指示を受け付け、指示に従って第１の制御手段の電源投入を制御することを特徴としてもよい。
【００１０】
また、本発明の画像処理装置において、第２の制御手段は、第１の制御手段及び第２の制御手段以外の制御手段に電源を投入するか否かの指示を受け付け、指示に従って制御手段の電源投入を制御することを特徴としてもよい。
【００１１】
本発明の省電力化方法は、最も消費電力の高い第１の制御手段と、第１の制御手段に対して相対的に消費電力が低い第２の制御手段と、を有する装置で行われる省電力化方法であって、装置内に備えられる所定の手段に対してのみ電源供給を行う省エネルギーモードのときに、第１の制御手段に電源供給を行わず、第２の制御手段に電源供給を行い、省エネルギーモードのときに所定の機能の実行指示がなされた場合、第２の制御手段によって機能を実行するための制御が行われることを特徴とする。
【００１２】
また、本発明の省電力化方法において、省エネルギーモードのときにスキャナ動作の実行指示がなされた場合、第２の制御手段により、スキャナ動作を実行するスキャナ手段の電源が投入され、スキャナ手段によって読み込まれた画像のイメージが所定の記憶手段に展開されることを特徴としてもよい。
【００１３】
また、本発明の省電力化方法において、省エネルギーモードのときにプリンタ動作の実行指示がなされた場合、第２の制御手段により、プリンタ動作を実行するプリンタ手段及び第１の制御手段の電源が投入され、第１の制御手段により、画像のイメージが所定の記憶手段に展開され、プリンタ手段により、画像のイメージが印刷されることを特徴としてもよい。
【００１４】
また、本発明の省電力化方法において、第２の制御手段は、所定の操作を受け付ける操作手段内で実現されることを特徴としてもよい。
【００１５】
また、本発明の省電力化方法において、第２の制御手段により、第１の制御手段に電源を投入するか否かの指示が受け付けられた場合、指示に従って第１の制御手段の電源投入が制御されることを特徴としてもよい。
【００１６】
また、本発明の省電力化方法において、第２の制御手段により、第１の制御手段及び第２の制御手段以外の制御手段に電源を投入するか否かの指示が受け付けられた場合、指示に従って制御手段の電源投入が制御されることを特徴としてもよい。
【００１７】
本発明の記録媒体は、本発明の省電力化方法をコンピュータに実行させるプログラムを記録したことを特徴とする。
【発明の効果】
【００１８】
本発明によれば、省エネルギーモードにおける消費電力を削減することが可能となる。
【発明を実施するための最良の形態】
【００１９】
以下、本発明を実施するための最良の形態について添付図面を参照して詳細に説明する。
【００２０】
まず、一般的な画像処理装置の構成を図３に示す。図３は、一般的な画像処理装置における省エネルギーモード時（以下、省エネ時ともいう）の状態も示している。省エネルギーモードは、画像処理装置内の複数の機器（手段、ユニット等）のうち、所定の機器に対してのみ電源供給を行うことにより、消費電力を抑えるモードである。図３中においては、例えば、灰色の色つきで示す部分が、電源が供給されていない部分である。画像処理装置の機種によっては、省エネ時の電源ON/OFFの構成は必ずしも図３の限りではないが、一般的に、画像処理装置のメインＣＰＵ（Central Processing Unit）１が常に電源ONされており、このメインＣＰＵ１が、機器制御部１１により各ユニットへの電源制御や、Ｉ／Ｏ制御部１２によりＩ／Ｏ制御を行っている。なお、メインＣＰＵ１は、図示しないＲＯＭ（Read Only Memory）やバッファメモリを有している。
【００２１】
外部Ｉ／Ｆ（外部インターフェースユニット）２は、ネットワークを通して、他の画像形成装置やＰＣ（Personal Computer）につながっており、画像圧縮データやコマンドの送受信を行う。
【００２２】
ＲＡＭ（Random Access Memory）３は、メモリの一例であり、ＣＰＵのプログラム展開及び画像イメージ展開に用いられる。
【００２３】
ＦＡＸユニット４は、ファクシミリ機能を実現するユニットである。ＦＡＸユニット４は、ＣＰＵ４１と、図示しないＲＯＭ及びバッファメモリを有している。ＲＯＭには、ファクシミリ機能を実現するためのプログラムが格納されている。また、バッファメモリは、画像イメージの一時的蓄積場所として機能する。ＣＰＵ４１は、ＲＯＭに格納されているプログラムに従って制御を行い、ファクシミリ機能を実現する。
【００２４】
プリンタユニット５は、プリンタ機能を実現するユニットである。プリンタユニット５は、ＣＰＵ５１と、図示しないＲＯＭ及びバッファメモリを有している。ＲＯＭには、プリンタ機能を実現するためのプログラムが格納されている。また、バッファメモリは、画像イメージの一時的蓄積場所として機能する。ＣＰＵ５１は、ＲＯＭに格納されているプログラムに従って制御を行い、プリンタ機能を実現する。
【００２５】
スキャナユニット６は、スキャナ機能を実現するユニットである。スキャナユニット５は、ＣＰＵ６１と、図示しないＲＯＭ及びバッファメモリを有している。ＲＯＭには、スキャナ機能を実現するためのプログラムが格納されている。また、バッファメモリは、画像イメージの一時的蓄積場所として機能する。ＣＰＵ６１は、ＲＯＭに格納されているプログラムに従って制御を行い、スキャナ機能を実現する。
【００２６】
操作部ユニット７は、ユーザによって行われる各種操作を受け付けるインターフェースである。操作部ユニット７は、ユーザに対して各種情報を表示する機能を有してもよい。操作部ユニット７の一部としては、例えば操作パネルが挙げられる。なお、図３では、操作部ユニット７に電源が投入されていないことを示しているが、操作部ユニット７の一部（例えば、操作パネル）には電源が投入されているものとする。ユーザが操作部ユニット７の一部（例えば、操作パネル）に触れると、操作パネルから、画像処理装置を省エネ時から復帰する信号が、後述する省エネ復帰手段９に伝えられる。
【００２７】
ＨＤＤ（Hard Disk Drive）ユニット８は、各種データを格納するユニットである。
【００２８】
省エネ復帰手段９は、画像処理装置を省エネ時から復帰する信号を各ユニットや外部装置等から受け取り、メインＣＰＵ１に省エネ時からの復帰を伝える手段である。省エネ復帰手段９は、例えば、圧版が開閉されたときや、操作パネルにユーザが触れたときなどに、各ユニット等から信号を受け取り、起動する。なお、図３の例では、省エネ復帰手段９を各ユニットとは別に構成したが、例えば、任意のユニットに備えるようにしてもよい。
【００２９】
以上のように構成された、一般的な画像処理装置の動作例について以下に説明する。ここでは、例として、スキャナ動作とプリンタ動作について説明する。
【００３０】
〔スキャナ動作時〕
省エネ時において、ユーザが、スキャン動作を行うために、例えば操作パネルに触れると、省エネ復帰手段９は操作部ユニット７から信号を受け取り、メインＣＰＵ１に省エネ時からの復帰を伝える。メインＣＰＵ１は、操作部ユニット７及びスキャナユニット６に電源を投入する。そして、スキャナユニット６に所定の画像が読み込まれると、スキャナユニット６の図示しないバッファにおいてページごとにイメージが蓄積されていき、順にＲＡＭ３に展開される。ＲＡＭ３に展開されたイメージは、必要に応じて、ＨＤＤユニット８に蓄積されたり、プリンタユニット５による下記プリンタ動作により複写されたりする。
【００３１】
〔プリンタ動作時〕
省エネ時において、例えば外部Ｉ／Ｆ２を通して画像処理装置にプリンタコマンドが送られてくると、省エネ復帰手段９はプリンタコマンドを受け取り、メインＣＰＵ１に省エネ時からの復帰を伝える。また、このとき、省エネ復帰手段９はプリンタコマンドをメインＣＰＵ１に送る。メインＣＰＵ１はまず、プリンタユニット５に電源を投入する。プリンタユニット５の準備ができた後、メインＣＰＵ１は、プリンタコマンドに基づき、ＲＡＭ３にイメージを展開（描画）する。ＲＡＭ３に展開されたイメージは、順次、プリンタユニット５の図示しないバッファに送られ、蓄積される。プリンタユニット５は、バッファに蓄積されたイメージを紙などの媒体に印刷し、画像処理装置の外部へ出力する。
【００３２】
以上のように、一般的な画像処理装置では、スキャナ動作やプリンタ動作における各制御（例えば、描画制御、スキャナ制御、Ｉ／Ｏ制御等）を、高性能、高消費電力のメインＣＰＵ１が行っていた。従って、一般的な画像処理装置では、省エネ時にメインＣＰＵ１の電源を投入しておく必要があり、高電力を消費することになるという課題があった。
【００３３】
次に、本発明の一実施形態である画像処理装置について説明する。図１は、本実施形態の画像処理装置の構成を示すブロック図である。図３に示す一般的な画像処理装置の構成と同じ部分には同符号を付し、それらについてのここでの説明は省略する。
【００３４】
本実施形態の画像処理装置では、メインＣＰＵより相対的に消費電力の低いＣＰＵをもつユニットに、機器制御部、Ｉ／Ｏ制御部、メインＣＰＵ制御部を実装し、メインＣＰＵには描画制御のみを実装する。このような構成により、省電力化方法を実現する。すなわち、省エネルギーモードのときに、メインＣＰＵに電源供給を行わず、メインＣＰＵより相対的に消費電力の低いＣＰＵに電源供給を行うようにする。そして、省エネルギーモードのときに所定の機能（例えば、スキャナ動作やプリンタ動作等）の実行指示がなされた場合、消費電力の低いＣＰＵが、指示された機能を実行するための制御を行う。
【００３５】
図１では、例として、メインＣＰＵ１より相対的に消費電力の低いＣＰＵ７１をもつ操作部ユニット７に、機器制御部７１、Ｉ／Ｏ制御部７３、メインＣＰＵ制御部７４を実装している。また、図示していないが、ＣＰＵ７１には、ＤＭＡＣ（Direct Memory Access Controller）を備える。また、例として、操作部ユニット７に、省エネ復帰手段９を有している。この省エネ復帰手段９は、メインＣＰＵ１ではなく、ＣＰＵ７１に省エネからの復帰を伝える。機器制御部７１及びＩ／Ｏ制御部７３は、メインＣＰＵ１の機器制御部１１及びＩ／Ｏ制御部１２と同機能を有する。メインＣＰＵ制御部７４は、メインＣＰＵ１に対し、電源投入の可否を指示する手段である。図示しないＤＭＡＣは、例えばスキャナ動作時に、バッファに読み込まれたイメージをＲＡＭ３に展開するためのＣＴＬである。これは汎用的に用いられる技術であるが、本実施形態では、メインＣＰＵ１に電源が投入されていない状況で使用されることが特徴となる。
【００３６】
図１は、本実施形態の画像処理装置における省エネルギーモード時の状態も示している。図１中において、灰色の色つきで示す部分が、電源が供給されていない部分である。図３と比べると、本実施形態の画像処理装置の省エネ時では、メインＣＰＵ１に電源が供給されていない。また、図１では、操作部ユニット７に電源が投入されていることを示しているが、操作部ユニット７のＣＰＵ７１及び省エネ復帰手段９のみに電源が投入されているものとする。このように、本実施形態では、省エネルギーモードのときに、メインＣＰＵ１に電源供給を行わず、メインＣＰＵ１より相対的に消費電力の低いＣＰＵ７１に電源供給を行うようにする。これにより、省エネルギーモードにおける消費電力をより削減することができる。
【００３７】
以上のように構成された、本実施形態の画像処理装置の動作例について、図２を参照して以下に説明する。ここでは、例として、スキャナ動作とプリンタ動作について説明する。図２（ａ）がスキャナ動作、図２（ｂ）がプリンタ動作をそれぞれ示す。
【００３８】
〔スキャナ動作時〕
省エネ時において、ユーザが、スキャン動作を行うために、例えば操作パネルに触れると、省エネ復帰手段９はそれを検知し、ＣＰＵ７１に省エネ時からの復帰を伝える（ステップＳ１）。ＣＰＵ７１は、操作部ユニット７及びスキャナユニット６に電源を投入する（ステップＳ２）。そして、スキャナユニット６に所定の画像が読み込まれると（ステップＳ３）、スキャナユニット６の図示しないバッファにおいてページごとにイメージが蓄積されていく。そして、操作部ユニット７の図示しないＤＭＡＣにより、バッファに蓄積されたイメージは、順にＲＡＭ３に展開される（ステップＳ４）。ＲＡＭ３に展開されたイメージは、必要に応じて、ＨＤＤユニット８に蓄積されたり、プリンタユニット５による下記プリンタ動作により複写されたりする（ステップＳ５）。
【００３９】
このように、本実施形態では、スキャナ動作時において、メインＣＰＵ１に電源が投入されない。代わりに、消費電力の低い、専用ＤＭＡＣを用いて、イメージをＲＡＭ３に展開する。よって、ＣＰＵ７１自体の性能は低くても、スキャナの読み込み速度に、画像形成装置が追い付かず、イメージを取り込み損なうといった危険を回避することができる。また、メインＣＰＵ１を起動しないため、図３に示す一般的な画像処理装置に比べて、省エネ時だけでなく、省エネ時からの復帰時も消費電力の削減を実現できる。
【００４０】
〔プリンタ動作時〕
省エネ時において、例えば外部Ｉ／Ｆ２を通して画像処理装置にプリンタコマンドが送られてくると、省エネ復帰手段９は、プリンタコマンドを受け取り、メインＣＰＵ７１に省エネ時からの復帰を伝える（ステップＳ１１）。ＣＰＵ７１は、まず、プリンタユニット５に電源を投入し、また、メインＣＰＵ制御手段７４により、メインＣＰＵ１に電源を投入する（ステップＳ１２）。また、このとき、プリンタコマンドがメインＣＰＵ１に送られる。
【００４１】
ここで、メインＣＰＵ１に実装されている図示しないＲＯＭには、メインＣＰＵ１のコンフィグ情報と、プリンタコマンドの内容を示す情報とが予め格納されている。よって、メインＣＰＵ１は、自身のＲＯＭに格納されているデータに基づいて、描画展開を行うことができる。メインＣＰＵ１の電源が投入され、動作可能状態になった後、メインＣＰＵ１は、プリンタコマンドに基づき、ＲＡＭ３にイメージを展開（描画）する（ステップＳ１３）。ＲＡＭ３に展開されたイメージは、順次、プリンタユニット５の図示しないバッファに送られ、蓄積される。プリンタユニット５は、バッファに蓄積されたイメージを紙などの媒体に印刷し、画像処理装置の外部へ出力する（ステップＳ１４）。
【００４２】
描画作業はＣＰＵの性能に大きく依存するため、本実施形態では、メインＣＰＵ１を起こして使用する。但し、省エネ時においては、メインＣＰＵ１の代わりに、消費電力の低いＣＰＵ７１が電源投入状態であるため、図３に示す一般的な画像処理装置と比較して、省エネ時の消費電力を削減できる。
【００４３】
なお、本実施形態において、機器制御部７２、Ｉ／Ｏ制御部７３、メインＣＰＵ制御部７４を、操作部ユニット７以外のユニットのＣＰＵに備えるようにしてもよい。
【００４４】
本実施形態において、各ユニットの任意の機能ごとに電源を供給できるようにしてもよい。これにより、無駄な消費電力を削減できる。
【００４５】
ＤＭＡＣ（ＭＡＣ ＣＴＬ）は電源供給してから動作準備可能になるまである程度の時間が必要になる。よって、本実施形態において、ユーザからスキャナ動作の実行指示を受け付けたときにのみ、ＤＭＡＣに電源を投入するようにしてもよい。これにより、より消費電力を削減できる。
【００４６】
メインＣＰＵ１を起動するには、ある程度時間を要する。よって、本実施形態において、ユーザは、操作部ユニット７で操作を行うことにより、メインＣＰＵ１の電源投入の可否を状況に応じて選択できるようにしてもよい。例えば、ユーザが、急ぎで画像処理装置を使用したい場合に、操作部ユニット７を通じて、メインＣＰＵ１に電源を投入しておくように指示操作を行う。この指示操作を受けて、メインＣＰＵ制御部７４は、メインＣＰＵ１を電源投入状態に制御する。従って、ユーザは、より早く所望の動作（例えばプリンタ動作）を行うことができる。
【００４７】
プリンタユニットを起動するには、ある程度時間を要する。よって、本実施形態において、ユーザは、操作部ユニット７で操作を行うことにより、所望のユニットのＣＰＵの電源投入の可否を状況に応じて選択できるようにしてもよい。例えば、ユーザが、急ぎで画像処理装置を使用し、例えばプリンタ動作を行いたい場合に、操作部ユニット７を通じて、プリンタユニット５のＣＰＵ５１に電源を投入しておくように指示操作を行う。この指示操作を受けて、メインＣＰＵ制御部７４は、プリンタユニット５のＣＰＵ５１を電源投入状態に制御する。従って、ユーザは、より早くプリンタ動作を行うことができる。このように、メインＣＰＵ制御部７４が、メインＣＰＵ１だけでなく、その他のユニットのＣＰＵを制御できるように構成してもよい。
【００４８】
以上、本発明の実施形態について説明したが、上記実施形態に限定されるものではなく、その要旨を逸脱しない範囲において種々の変形が可能である。
【００４９】
例えば、上述した実施形態における動作は、ハードウェア、または、ソフトウェア、あるいは、両者の複合構成によって実行することも可能である。
【００５０】
ソフトウェアによる処理を実行する場合には、処理シーケンスを記録したプログラムを、専用のハードウェアに組み込まれているコンピュータ内のメモリにインストールして実行させてもよい。あるいは、各種処理が実行可能な汎用コンピュータにプログラムをインストールして実行させてもよい。
【００５１】
例えば、プログラムは、記録媒体としてのハードディスクやＲＯＭに予め記録しておくことが可能である。あるいは、プログラムは、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的、あるいは、永続的に格納（記録）しておくことが可能である。このようなリムーバブル記録媒体は、いわゆるパッケージソフトウエアとして提供することが可能である。
【００５２】
なお、プログラムは、上述したようなリムーバブル記録媒体からコンピュータにインストールする他、ダウンロードサイトから、コンピュータに無線転送してもよい。または、ＬＡＮ(Local Area Network)、インターネットといったネットワークを介して、コンピュータに有線で転送してもよい。コンピュータでは、転送されてきたプログラムを受信し、内蔵するハードディスク等の記録媒体にインストールすることが可能である。
【００５３】
また、上記実施形態で説明した処理動作に従って時系列的に実行されるのみならず、処理を実行する装置の処理能力、あるいは、必要に応じて並列的にあるいは個別に実行するように構築することも可能である。
【産業上の利用可能性】
【００５４】
本発明は、複写機、スキャナ，プリンタ、ＦＡＸ、複合機等の画像処理装置の他に、消費電力の異なるＣＰＵを２以上搭載した装置・機器などに適用できる。
【図面の簡単な説明】
【００５５】
【図１】本発明の一実施形態である画像処理装置の構成を示すブロック図である。
【図２】本発明の一実施形態である画像処理装置の動作を示すフローチャートである。
【図３】一般的な画像処理装置の構成を示すブロック図である。
【符号の説明】
【００５６】
１    メインＣＰＵ（第１の制御手段の一例）
２    外部Ｉ／Ｆ
３    ＲＡＭ（記憶手段の一例）
４    ＦＡＸユニット
５    プリンタユニット（プリンタ手段の一例）
６    スキャナユニット（スキャナ手段の一例）
７    操作部ユニット（操作手段の一例）
８    ＨＤＤユニット
９    省エネ復帰手段
１１    機器制御部
１２    Ｉ／Ｏ制御部
２１    外部Ｉ／ＦのＣＰＵ
４１    ＦＡＸユニットのＣＰＵ
５１    プリンタユニットのＣＰＵ
６１    スキャナユニットのＣＰＵ
７１    操作部ユニットのＣＰＵ（第２の制御手段の一例）
７２    機器制御部
７３    Ｉ／Ｏ制御部
７４    メインＣＰＵ制御部
【図１】
2009284395.tif 000003
【図２】
2009284395.tif 000004
【図３】
2009284395.tif 000005